(57)【要約】【課題】スタンド収納時の収納高さが低く、連通部からのごみのこぼれ落ちを防止することができる使い勝手のよい電気掃除機を提供する。【解決手段】集塵室と電動送風機とを有し吸込口体の上部に設けた掃除機本体と、一端に把手部１０を有する操作パイプ３と、一端が操作パイプ３の一端に接続され操作パイプ３と集塵室とを連通する集塵ホース９と、操作パイプ３の他端から伸縮自在で掃除機本体に着脱自在に装着される第２パイプ１１と、第２パイプ１１の他端から伸縮自在に伸びる小径パイプ１６とを備え、第２パイプ１１内で小径パイプ１６と操作パイプ３を連通させ、且つ第２パイプ１１と操作パイプ３の連通部２４の端部に同連通部２４を密閉する閉塞体２３を設けたもので、スタンド収納時の収納高さが低く、連通部２４でのごみのこぼれ落ちやエアー漏れを防止することが出来る。【選択図】図３
2011224187.tif 000002
【特許請求の範囲】
【請求項１】
底面に吸込開口を有する吸込口体と、集塵室と電動送風機とを有すると共に前記吸込口体の上部に設けられた掃除機本体と、一端に把手部を有する操作パイプと、一端が前記操作パイプの一端に接続され、他端が前記掃除機本体に接続されると共に前記操作パイプと前記集塵室とを連通する集塵ホースと、前記操作パイプの他端から伸縮自在に伸びると共に前記掃除機本体に着脱自在に装着される第２パイプと、前記第２パイプの他端から伸縮自在に伸びる第３パイプとを備え、前記第２パイプ内部で、前記第３パイプと前記操作パイプを連通させ、且つ前記第２パイプと前記操作パイプの連通部端部に同連通部を密閉する閉塞体を設けたことを特徴とする電気掃除機。
【請求項２】
閉塞体を弾性体で形成した請求項１に記載の電気掃除機。
【請求項３】
第２パイプまたは操作パイプと接触する閉塞体の端面を略円弧状に形成した請求項１または２に記載の電気掃除機。
【請求項４】
底面に吸込開口を有する吸込口体と、集塵室と電動送風機とを有すると共に前記吸込口体の上部に設けられた掃除機本体と、一端に把手部を有する操作パイプと、一端が前記操作パイプの一端に接続され、他端が前記掃除機本体に接続されると共に前記操作パイプと前記集塵室とを連通する集塵ホースと、前記操作パイプの他端から伸縮自在に伸びると共に前記掃除機本体に着脱自在に装着される第２パイプと、前記第２パイプの他端から伸縮自在に伸びる第３パイプとを備え、前記第２パイプ内部で、前記第３パイプと前記操作パイプを連通させ、且つ前記第２パイプと前記操作パイプの連通部端部に起毛布を設けたことを特徴とする電気掃除機。
【請求項５】
閉塞体または起毛布を、操作パイプの連通部外周壁面に接着して設けたことを特徴とする請求項１〜４のいずれか１項に記載の電気掃除機。
【発明の詳細な説明】
【技術分野】
【０００１】
本発明は、特に、掃除機本体に伸縮自在のパイプ手段を有する電気掃除機に関するものである。
【背景技術】
【０００２】
従来、この種の電気掃除機として、操作パイプに、第２管部が収納され、第２管部内に第３管部が収納されており、第２管部を本体に係止して、第２管部を本体に係止した状態から操作パイプを伸縮させるようにしたものが提案されている（例えば、特許文献１参照）。
【０００３】
図６は、上記特許文献１に記載された従来の電気掃除機を示すものである。図６に示すように、従来の電気掃除機は、掃除機本体５０と、掃除機本体５０の下部に取り付けた吸口体５１と、上部に着脱可能に取り付けられた手元ハンドル組品５２と、この手元ハンドル組品５２と前記掃除機本体５０とを連通させると共に柔軟性を備えた塵埃ホース５３とで構成されている。
【０００４】
前記吸口体５１は、集塵室５４と連通され、床面で吸い取った塵埃を含む空気は、掃除機本体５０に送られる。前記手元ハンドル組品５２は、所定の長さを備えた連結管５５と、この連結管５５を伸縮可能に収納する手元ハンドル５６（操作パイプ）とを含んで構成される。前記連結管５５は、所定の長さを備えた第１連結管５７（第２管部）と、この第１連結管５７に伸縮可能に収納される第２連結管５８（第２管部）とを含んで構成され、前記第１連結管５７の一端が、前記手元ハンドル５６に取り付けられる。
【０００５】
また、前記手元ハンドル５６は、握り部５９を備えている。前記掃除機本体５０は、その上面に前記連結管５５を取り付けるための連結管取付部６０を備え、この連結管取付部６０に、前記第１連結管５７の一端を取り付けることにより、前記手元ハンドル組品５２を掃除機本体５０に連結することができる。
【０００６】
これにより、手元ハンドル５６と第１連結管５７と掃除機本体５０が固定されるので、前記握り部５９を操作して床面の清掃を行うことができる。一方、前記連結管取付部６０の近傍には、前記第１連結管５７を固定する固定機構部６１のロック状態を解除する着脱ボタン６２が設けられている。この着脱ボタン６２の操作で、手元ハンドル組品５２を掃除機本体５０から取り外すことができる。
【０００７】
この手元ハンドル組品５２は、掃除機本体５０と塵埃ホース５３で連通されているので、連結管５５の一端から塵埃を含んだ空気を取り込んで、手元ハンドル５６と塵埃ホース５３を経由して掃除機本体５０に取り込むことができる。この際、第１連結管５７から第２連結管５８を引き出して、その先端から床面以外の清掃を行うことができる。
【先行技術文献】
【特許文献】
【０００８】
【特許文献１】特開２００８−８００４３号公報
【発明の概要】
【発明が解決しようとする課題】
【０００９】
しかしながら、前記特許文献１に記載されているような従来の電気掃除機の構成では、操作パイプ（手元ハンドル５６）内に、第２管部（第１連結管５７）を収納している為、
第２管部（第１連結管５７）を収納するスペースを、操作パイプ（手元ハンドル５６）内に必要とするため、操作パイプ（手元ハンドル５６）の長さが長くなり、操作パイプ（手元ハンドル５６）を縮めた時に、掃除機本体５０から突出する長さが長くなり、掃除機本体５０に、操作パイプ（手元ハンドル５６）を縮めて収納した床面からの収納高さが高くなるという課題を有していた。
【００１０】
上記課題を解決する為に、図７に示すように、手元ハンドル５６の他端部から伸縮自在に伸びる第１連結管５７の内部に、手元ハンドル５６の一部を収納させ、更に第１連結管５７の他端部から伸縮自在に伸びる第２連結管５８を設け、前記第１連結管５７の内部で、第２連結管５８と手元ハンドル５６を連通させた構成が考えられるが、この第１連結管５７内部で、第２連結管と手元ハンドル５６を連通させた構成において、第１連結管５７と手元ハンドル５６の連通部分の隙間から、吸込んだごみがこぼれ落ちたり、連通部分の隙間からエアー漏れが発生し、吸引力が低下するという課題を有していた。
【００１１】
本発明は、前記従来の課題を解決するもので、掃除機本体に手元ハンドルを装着して床面にスタンド収納した時の収納高さが低く、また、連通部からのごみのこぼれ落ちを防止することが出来る、小型で使い勝手のよい電気掃除機を提供することを目的とする。
【課題を解決するための手段】
【００１２】
前記従来の課題を解決するために、本発明の電気掃除機は、底面に吸込開口を有する吸込口体と、集塵室と電動送風機とを有すると共に前記吸込口体の上部に設けられた掃除機本体と、一端に把手部を有する操作パイプと、一端が前記操作パイプの一端に接続され、他端が前記掃除機本体に接続されると共に前記操作パイプと前記集塵室とを連通する集塵ホースと、前記操作パイプの他端から伸縮自在に伸びると共に前記掃除機本体に着脱自在に装着される第２パイプと、前記第２パイプの他端から伸縮自在に伸びる第３パイプとを備え、前記第２パイプ内部で、前記第３パイプと前記操作パイプを連通させ、且つ前記第２パイプと前記操作パイプの連通部端部に同連通部を密閉する閉塞体を設けたもので、操作パイプの他端部から伸縮自在に伸びる第２パイプ内部に操作パイプを収納させて設けたことにより、掃除機本体に操作パイプを装着して床面にスタンド収納した時の収納高さを低くすることが出来ると共に第２パイプ内部で第３パイプと操作パイプを連通させ且つ第２パイプと操作パイプの連通部端部に同連通部を密閉する閉塞体を設けたことにより、連通部からのごみのこぼれ落ちを防止すると共に連通部からのエアー漏れを無くし吸引力の低下を防止することが出来るものである。
【００１３】
また、本発明の電気掃除機は、底面に吸込開口を有する吸込口体と、集塵室と電動送風機とを有すると共に前記吸込口体の上部に設けられた掃除機本体と、一端に把手部を有する操作パイプと、一端が前記操作パイプの一端に接続され、他端が前記掃除機本体に接続されると共に前記操作パイプと前記集塵室とを連通する集塵ホースと、前記操作パイプの他端から伸縮自在に伸びると共に前記掃除機本体に着脱自在に装着される第２パイプと、前記第２パイプの他端から伸縮自在に伸びる第３パイプとを備え、前記第２パイプ内部で、前記第３パイプと前記操作パイプを連通させ、且つ前記第２パイプと前記操作パイプの連通部端部に起毛布を設けたもので、操作パイプの他端部から伸縮自在に伸びる第２パイプ内に操作パイプを収納させたことにより、掃除機本体に操作パイプを装着して床面にスタンド収納した時の収納高さを低くすることが出来ると共に前記第２パイプ内部で第３パイプと操作パイプを連通させ且つ第２パイプと操作パイプの連通部端部に隙間を密閉する閉塞体では無く通気性を持った起毛布を設けたことにより、連通部からのごみのこぼれ落ちを防止すると共にこぼれ落ちようとして連通部に溜まったごみを起毛布を通過する吸引風によって再び吸引することが出来る。また、起毛布を操作パイプ又は第２パイプに接触させることで操作パイプと第２パイプとの摺動操作性を確保すると共に摺動操作の繰返しによる磨耗等が無く耐久性を確保することが出来るものである。
【発明の効果】
【００１４】
本発明の電気掃除機は、掃除機本体に操作パイプを装着して床面にスタンド収納した時の収納高さが低く、また、連通部からのごみのこぼれ落ちを防止することができ、小型で使い勝手の良いものである。
【図面の簡単な説明】
【００１５】
【図１】本発明の実施の形態１における電気掃除機の収納状態を示した斜視図
【図２】同電気掃除機の吸込口体で床面の掃除を行う様子を示した斜視図
【図３】（Ａ）同電気掃除機の第２パイプ部の断面図、（Ｂ）同第２パイプ部の摺動連結体部分の部分拡大断面図
【図４】同電気掃除機の操作パイプを収納した第２パイプを掃除機本体から取り外して掃除を行う様子を示した斜視図
【図５】（Ａ）本発明の実施の形態２における電気掃除機の第２パイプ部の断面図、（Ｂ）同第２パイプの摺動連結体部分の部分拡大断面図
【図６】従来の電気掃除機の概略構成図
【図７】（Ａ）従来の電気掃除機の他の例を示す第２パイプ部の断面図、（Ｂ）同摺動連結体部分の部分拡大断面図
【発明を実施するための形態】
【００１６】
第１の発明は、底面に吸込開口を有する吸込口体と、集塵室と電動送風機とを有すると共に前記吸込口体の上部に設けられた掃除機本体と、一端に把手部を有する操作パイプと、一端が前記操作パイプの一端に接続され、他端が前記掃除機本体に接続されると共に前記操作パイプと前記集塵室とを連通する集塵ホースと、前記操作パイプの他端から伸縮自在に伸びると共に前記掃除機本体に着脱自在に装着される第２パイプと、前記第２パイプの他端から伸縮自在に伸びる第３パイプとを備え、前記第２パイプ内部で、前記第３パイプと前記操作パイプを連通させ、且つ前記第２パイプと前記操作パイプの連通部端部に同連通部を密閉する閉塞体を設けたもので、操作パイプの他端部から伸縮自在に伸びる第２パイプ内部に操作パイプを収納させて設けたことにより、掃除機本体に操作パイプを装着して床面にスタンド収納した時の収納高さを低くすることが出来ると共に第２パイプ内部で第３パイプと操作パイプを連通させ且つ第２パイプと操作パイプの連通部端部に同連通部を密閉する閉塞体を設けたことにより、連通部からのごみのこぼれ落ちを防止すると共に連通部からのエアー漏れを無くし吸引力の低下を防止することが出来るものである。
【００１７】
第２の発明は、特に、第１の発明の閉塞体を弾性体で形成したもので、連通部の密閉性を確保すると共に操作パイプと第２パイプとの摺動操作性を確保することが出来るものである。
【００１８】
第３の発明は、第２パイプまたは操作パイプと接触する閉塞体の端面を略円弧状に形成したもので、操作パイプと第２パイプとの摺動性の向上を確保することが出来るものである。
【００１９】
第４の発明は、底面に吸込開口を有する吸込口体と、集塵室と電動送風機とを有すると共に前記吸込口体の上部に設けられた掃除機本体と、一端に把手部を有する操作パイプと、一端が前記操作パイプの一端に接続され、他端が前記掃除機本体に接続されると共に前記操作パイプと前記集塵室とを連通する集塵ホースと、前記操作パイプの他端から伸縮自在に伸びると共に前記掃除機本体に着脱自在に装着される第２パイプと、前記第２パイプの他端から伸縮自在に伸びる第３パイプとを備え、前記第２パイプ内部で、前記第３パイプと前記操作パイプを連通させ、且つ前記第２パイプと前記操作パイプの連通部端部に起毛布を設けたもので、操作パイプの他端部から伸縮自在に伸びる第２パイプ内に操作パイ
プを収納させたことにより、掃除機本体に操作パイプを装着して床面にスタンド収納した時の収納高さを低くすることが出来ると共に前記第２パイプ内部で第３パイプと操作パイプを連通させ且つ第２パイプと操作パイプの連通部端部に隙間を密閉する閉塞体では無く通気性を持った起毛布を設けたことにより、連通部からのごみのこぼれ落ちを防止すると共にこぼれ落ちようとして連通部に溜まったごみを起毛布を通過する吸引風によって再び吸引することが出来る。また、起毛布を操作パイプ又は第２パイプに接触させることで操作パイプと第２パイプとの摺動操作性を確保すると共に摺動操作の繰返しによる磨耗等が無く耐久性を確保することが出来るものである。
【００２０】
第５の発明は、特に、第１〜４のいずれか１つの発明の閉塞体または起毛布を、操作パイプの連通部外周壁面に接着して設けたもので、閉塞体または起毛布を安価に且つ組立て易く構成することが出来るものである。
【００２１】
以下、本発明の実施の形態について、図面を参照しながら説明する。なお、この実施の形態によって本発明が限定されるものではない。
【００２２】
（実施の形態１）
図１は、本発明の実施の形態１における電気掃除機の収納状態を示した斜視図、図２は、同電気掃除機の吸込口体で床面の掃除を行う様子を示した斜視図、図３（Ａ）は、同電気掃除機の第２パイプ部の断面図、図３（Ｂ）は、同第２パイプ部の摺動連結体部分の部分拡大断面図、図４は、同電気掃除機の操作パイプを収納した第２パイプを掃除機本体から取り外して掃除を行う様子を示した斜視図である。
【００２３】
図１から図４において、本実施の形態における電気掃除機は、底面に図示しない吸込開口を有する吸込室（図示せず）を形成した吸込口体１と、掃除機本体２と、この掃除機本体２に着脱可能に装着された伸縮可能な操作パイプ３を収納した第２パイプ１１とを備えている。吸込口体１の後部には、前後方向に回動可能な回転管４が設けられており、この回転管４は、吸込口体１の吸込室に連通されている。
【００２４】
また、回転管４の上部は、後述する掃除機本体２の下部の接続部５に固定されている。掃除機本体２は、内部に形成された集塵室６と、この集塵室６を負圧にする電動送風機７と、集塵室６に着脱自在に装着された集塵フィルタ（紙パック）Ｆ（図示せず）等とを備えている。
【００２５】
また、掃除機本体２の上部には、取手８が一体的に設けられており、その前部側には、集塵ホース９の一端が接続され、その集塵ホース９の他端が、操作パイプ３の後端部に接続されている。そして、集塵ホース９は、掃除機本体２の集塵室６に連通している。
【００２６】
第２パイプ１１は、後部に把手部１０を設けた操作パイプ３の一部を内部に収納すると共に取付凹部１２を有している。そして、第２パイプ１１の取付凹部１２を、掃除機本体２の接続開口１３に差し込み、係合突出部（図示しない）に係合させると、図示しないロック機構により係合突出部が上記取付凹部１２にロックされて、操作パイプ３の一部を内部に収納した第２パイプ１１が掃除機本体２の長手方向のほぼ全域に装着される。
【００２７】
この第２パイプ１１の先端部を、掃除機本体２の接続開口１３に差し込むと、第２パイプ１１の先端部は奥で密閉されるようになっている。係合突出部（図示しない）のロックの解除は、掃除機本体２の取手８の上面に設けた解除レバー１５を引くことにより行われるようになっている。
【００２８】
また、操作パイプ３は、第２パイプ１１と、この第２パイプ１１内に挿入された第３パ
イプである小径パイプ１６とを有し、第２パイプ１１内部で、小径パイプ１６と操作パイプ３は連通している。この第２パイプ１１内で操作パイプ３が摺動移動することにより、第２パイプ１１が伸縮するものである。そして、第２パイプ１１の摺動連結体１７に弾性体であるバネ２２によって支持されて設けられた伸縮動作ボタン１８を押すと、第２パイプ１１の摺動移動が可能となり、その伸縮動作ボタン１８の押圧を解除すると、第２パイプ１１はその位置でロックされるようになっている。
【００２９】
また２３は、第２パイプ１１と、操作パイプ３の連通部２４の端部を密閉すよう設けられた弾性体からなる閉塞体で、操作パイプ３の外周壁面に接着して設けられており、また、閉塞体２３の端面は、略円弧状１４に形成され。その端面は、第２パイプ１１の内周壁面に圧接され、第２パイプ１１と操作パイプ３の連通部２４の端部のごみ漏れ、エアー漏れを防止している。そして弾性体からなる閉塞体２３の具体的な材質としては、天然ゴム、ウレタンゴム等のゴム材やエラストマー等の弾性を有する樹脂材で構成されている。
【００３０】
また第２パイプ１１の摺動連結体１７部分は、第２パイプ１１及び操作パイプ３が掃除機本体２に装着された状態では掃除機本体２の接続開口１３から外部に露出した状態となる。したがって摺動連結体１７に設けられた伸縮動作ボタン１８は、掃除機本体２の外郭の一部として掃除機本体２の前面側に露出した構成となる。
【００３１】
更に、前記小径パイプ１６が、第２パイプ１１内を摺動移動することにより更に伸縮するものである。そして、第２パイプ１１の先端に設けた摺動連結部１９に設けたボタン２０を押すと、小径パイプ１６の摺動移動が可能となり、そのボタン２０の押圧を解除すると小径パイプ１６はその位置でロックされるようになっている。
【００３２】
そして、吸込口体１は、回転管４、接続部５を介して集塵室６に連通しているが、掃除機本体２を立てた状態では、その連通が遮断される構造としている。また上記したように掃除機本体２に装着された第２パイプ１１の先端部は奥で密閉されるようになっている。したがって操作パイプ３、第２パイプ１１へと連通する小径パイプ１６の先端部からの吸込みは、掃除機本体２を立てた状態で、第２パイプ１１を掃除機本体２から取外すことが出来るようになっている。掃除機本体２の上部には電動送風機７の電源スイッチ（操作スイッチ）２１が設けられている。
【００３３】
以上のように構成された本実施の形態における電気掃除機について、以下その動作、作用を説明する。先ず、図２に示すように伸縮動作ボタン１８を押して第２パイプ１１の内部に収納された操作パイプ３を伸長させる。そして、電源スイッチ２１をオンにすると、電動送風機７が駆動されて集塵室６の空気が電動送風機７により吸引されていく。この吸引により集塵室６が負圧となり、この負圧が回転管４および吸込口体１の吸込室に作用し、吸込室の吸込開口から、空気とともに塵埃が吸引されていく。
【００３４】
吸込室に吸引された空気および塵埃は、回転管４を介して掃除機本体２の集塵室６へ吸引されていき、塵埃が集塵フィルタＦに集塵されていく。なお、集塵方式は、集塵フィルタＦのないサイクロン方式であってもよい。
【００３５】
ここで、図１に示すように、操作パイプ３の他端部から伸縮自在に伸びる第２パイプ１１の内部に、操作パイプ３の一部を収納させたことにより、掃除機本体２に操作パイプ３を収納した第２パイプ１１を装着して床面にスタンド収納した時の収納高さを低くすることが出来るものであり、場所を取らず部屋の隅にコンパクトに電気掃除機を収納出来るものである。
【００３６】
また、第２パイプ１１の摺動連結体１７部分は、操作パイプ３が掃除機本体２に装着さ
れた状態では掃除機本体２の接続開口１３から外部に露出した状態（伸縮動作ボタン１８が本体側に設けられた状態）となり、伸縮動作ボタン１８を本体外郭に露出させて掃除機本体２に収納したことにより、第２パイプ１１が、掃除機本体２に収納された状態でも第２パイプ１１に設けた伸縮動作ボタン１８が本体外郭に露出し、操作パイプ３の把手部１０を片方の手で握りもう片方の手で掃除機本体２側を保持しながら同時に伸縮動作ボタン８を操作することが出来るのでワンタッチ（１回の動作）で操作パイプ３を掃除機本体２から伸縮出来るものである。
【００３７】
そして、吸込口体１による床面の掃除を行う場合には、図２に示すように操作パイプ３の把手部１０を持って掃除機本体２を前後に移動させれば床面などの掃除が行える。（この時掃除機本体２に装着された第２パイプ１１の先端部は密閉されている。）
次に、図４に示すように操作パイプ３が収納された第２パイプ１１を掃除機本体２から取り外して掃除を行う場合、掃除機本体２を立てた状態で（掃除機本体２を立てた状態では集塵室６への連通が遮断される）掃除機本体２の上部に設けた解除レバー１５を引くことにより係合突出部（図示しない）のロックの解除を行い、操作パイプ３が収納された第２パイプ１１を、掃除機本体２から取外すことで、小径パイプ１６の先端部から吸引された空気および塵埃は、第２パイプ１１、操作パイプ３および集塵ホース９を介して掃除機本体２の集塵室６へ吸引されていく。
【００３８】
ここで、第２パイプ１１と操作パイプ３の連通部２４の端部の同連通部２４を密閉する閉塞体２３を設けたことにより、連通部２４からのごみのこぼれ落ち及び侵入を防止すると共に連通部２４からのエアー漏れを無くし吸引力の低下を防止することが出来るものである。
【００３９】
また、上記閉塞体２３を天然ゴム、ウレタンゴム等のゴム材やエラストマー等の弾性を有する樹脂材で構成したことにより、連通部２４の密閉性を確保すると共に操作パイプ３と第２パイプ１１との摺動操作性を確保することが出来るものである。
【００４０】
更には、第２パイプ１１と接触する閉塞体２３の端面が略円弧状１４に形成されている為、操作パイプ１と第２パイプ１１との摺動性の向上を確実に確保することが出来るものである。また、上記閉塞体２３を、操作パイプ３の連通部２４の外周壁面に接着して設けたことにより、閉塞体２３を安価に且つ組立て易く構成することが出来るものである。
【００４１】
（実施の形態２）
図５（Ａ）は、本発明の実施の形態２における電気掃除機の第２パイプ部の断面図、図５（Ｂ）は、同第２パイプの摺動連結体部分の部分拡大断面図である。なお、上記実施の形態１における電気掃除機と同一部分については、同一符号を付してその説明を省略する。
【００４２】
本実施の形態における電気掃除機は、図５に示すように、上記第１の実施の形態における閉塞体２３に代え、通気性を有する起毛布３０を、第２パイプ１１と操作パイプ３の連通部２４の端部に設けたもので、その起毛布３０は、操作パイプ３の外周壁面に接着して設けられており、その起毛布３０の外周先端は、第２パイプ１１の内周壁面に圧接され、第２パイプ１１と操作パイプ３の連通部２４の細塵を除く粗いごみ等のごみ漏れを防止している。
【００４３】
以上のように本実施の形態における電気掃除機によれば、第２パイプ１１と操作パイプ３の連通部２４に、隙間を密閉する閉塞体２３では無く通気性を持った起毛布３０を設けたことにより、起毛布３０で連通部２４からのごみのこぼれ落ちを防止すると共にこぼれ落ちようとして連通部２４に溜まったごみを起毛布３０を通過する吸引風によって再び吸
引することが出来るものである。また、起毛布３０としたことより、操作パイプ３と第２パイプ１１との摺動操作性を確保すると共に摺動操作の繰返しによる磨耗等を無くし耐久性を確保することが出来るものである。
【００４４】
なお、本実施の形態における通気性を有する起毛布３０は、基材３１と、基材３１に植毛された毛３２から構成され、毛３２を基材３１に密に植毛することでかなり細かな塵埃の漏れを防止することが出来ると共に連通部２４からのエアー漏れをある程度抑えることが出来、吸引力の低下を比較的改善することが出来るものである。逆に、毛３２を基材３１に粗に植毛することでこぼれ落ちようとして連通部２４に溜まったごみを比較的強力に吸引することが出来るものである。
【００４５】
また、上記起毛布３０を操作パイプ３の連通部２４の外周壁面に接着して設けたことにより、起毛布３０を安価に且つ組立て易く構成することが出来るものである。
【００４６】
上記実施の形態１及び２では、閉塞体２３、起毛布３０を、操作パイプ３の外周壁面に接着して設け、その閉塞体２３、起毛布３０の外周先端が第２パイプ１１の内周壁面に圧接させるようにしたが、閉塞体２３、起毛布３０を小径パイプ１６の外周壁面に接着し、その外周先端を操作パイプ３の内周壁面に圧接するようにしてもよい。
【００４７】
これによって、上記閉塞体２３または起毛布３０を安価に構成することが出来ると共に小径パイプ１６の外周壁面に接着させることで閉塞体２３または起毛布３０の接着作業性を良くし、更に組立性を向上させることが出来るものである。
【産業上の利用可能性】
【００４８】
以上のように、本発明にかかる電気掃除機は、掃除機本体に操作パイプを装着して床面にスタンド収納した時の収納高さを低くすることが出来、また、連通部を密閉することで連通部からのごみのこぼれ落ちを防止すると共に連通部からのエアー漏れを無くし吸引力の低下を防止することが出来る小型で使い勝手のよいもので、家庭用、業務用の各種電気掃除機に適用できる。
【符号の説明】
【００４９】
１  吸込口体
２  掃除機本体
３  操作パイプ
６  集塵室
７  電動送風機
１０  把手部
１１  第２パイプ
１４  略円弧状
１６  小径パイプ（第３パイプ）
２３  閉塞体
２４  連通部
３０  起毛布
【図１】
2011224187.tif 000003
【図２】
2011224187.tif 000004
【図３】
2011224187.tif 000005
【図４】
2011224187.tif 000006
【図５】
2011224187.tif 000007
【図６】
2011224187.tif 000008
【図７】
2011224187.tif 000009